(57)【要約】【課題】すすぎ時の循環水量を多くしてすすぎ効果を高める。【解決手段】水受け槽２内の洗濯水を循環させるポンプ１２を備えた循環水路１１と、循環水路１１に設けたリントフィルター１７と、リントフィルター１７の下流側で分岐した洗剤フィルター２１を備えた第２循環路２０と、洗剤フィルター２１の上流側で分岐したバイパス路２２と、投入された洗剤が液体洗剤か否かを判定する洗剤判定手段２３と、駆動モータ７等を制御し、洗い、すすぎ、脱水の各工程を逐次制御する制御手段２６とを備え、制御手段２６は、投入された洗剤が液体洗剤であると、すすぎ工程において、バイパス路２２を通して回転ドラム３へ洗濯水を循環させるようにしたものである。【選択図】図１
2012065865.tif 000002
【特許請求の範囲】
【請求項１】
筐体内に弾性支持された水受け槽と、前記水受け槽内に回転可能に設けられた回転ドラムと、前記回転ドラムを回転駆動する駆動モータと、前記水受け槽内の洗濯水を循環させるポンプを備えた循環水路と、前記循環水路に設けたリントフィルターと、前記リントフィルターの下流側で分岐した洗剤フィルターを備えた第２循環路と、前記洗剤フィルターの上流側で分岐したバイパス路と、投入された洗剤が液体洗剤か否かを判定する洗剤判定手段と、前記駆動モータ等を制御し、洗い、すすぎ、脱水の各工程を逐次制御する制御手段とを備え、前記制御手段は、投入された洗剤が液体洗剤であると、すすぎ工程において、前記バイパス路を通して前記回転ドラムへ洗濯水を循環させるようにした洗濯機。
【請求項２】
バイパス路は、リントフィルターの上流側で循環水路と分岐するように構成した請求項１記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、浄化フィルターを用いて洗濯水を浄化し、洗濯水を循環させて洗い、およびすすぎを行うことが一般的である。また、洗濯物から出るリントを除去するリントフィルターに加えて、洗剤分を除去する洗剤フィルターを設け、すすぎ時に洗剤フィルターを通して効率よくすすぎがおこなえるようにすることが考えられている（例えば、特許文献１参照）。また、洗濯に使用される洗剤の種類を判定することも考えられている（例えば、特許文献２参照）。
【先行技術文献】
【特許文献】
【０００３】
【特許文献１】特開平１１−２７６７９４号公報
【特許文献２】特開平５−３４５０９４号公報
【発明の概要】
【発明が解決しようとする課題】
【０００４】
しかしながら、前記従来の構成では、洗剤分を除去するために洗剤フィルターが微細に形成され、通過する洗剤分が洗剤フィルターに捕捉されて循環水量が減少するという問題があった。一般的にすすぎは、洗濯物の繊維中に入り込んでいる洗剤分を洗濯水を通過させることによって取り除くことができ、洗濯物を通過する洗濯水の通過量、すなわち、循環水量を多くすることによって、すすぎ効果を高めることができる。
【０００５】
一方、使用される洗剤が粉末洗剤の場合は、洗い時に溶けないことが生じ、水量に適した量より多く投入された場合、あるいは、水温が低い場合等が考えられ、すすぎ時に洗剤分を除去することは有用である。しかしながら、使用される洗剤が液体洗剤の場合は、前記のような課題はなく、循環水量を多くしてすすぎ効果を高めることが課題である。
【０００６】
本発明は、前記従来の課題を解決するもので、すすぎ時の循環水量を多くしてすすぎ効果を高めることができる洗濯機を提供することを目的とする。
【課題を解決するための手段】
【０００７】
前記従来の課題を解決するために、本発明の洗濯機は、水受け槽内の洗濯水を循環させるポンプを備えた循環水路と、前記循環水路に設けたリントフィルターと、前記リントフィルターの下流側で分岐した洗剤フィルターを備えた第２循環路と、前記洗剤フィルターの上流側で分岐したバイパス路と、投入された洗剤が液体洗剤か否かを判定する洗剤判定手段と、駆動モータ等を制御し、洗い、すすぎ、脱水の各工程を逐次制御する制御手段とを備え、前記制御手段は、投入された洗剤が液体洗剤であると、すすぎ工程において、前記バイパス路を通して前記回転ドラムへ洗濯水を循環させるようにしたものである。
【０００８】
これによって、液体洗剤が使用されたときは、洗濯水はすすぎ時に洗剤フィルターを通過することなく回転ドラムへ循環させることができ、循環水量を多くしてすすぎ効果を高めることができる。
【発明の効果】
【０００９】
本発明の洗濯機は、液体洗剤が使用されたときは、すすぎ時に洗濯水の循環水量を多く
することができ、すすぎ効果を高めることができる。
【図面の簡単な説明】
【００１０】
【図１】本発明の実施の形態１における洗濯機の断面図
【図２】同洗濯機の洗剤判定手段の構成図
【図３】同洗濯機の粉末洗剤使用時のすすぎ時の洗濯水の流れを示す要部拡大図
【図４】同洗濯機の液体洗剤使用時のすすぎ時の洗濯水の流れを示す要部拡大図
【図５】本発明の実施の形態２における洗濯機の断面図
【図６】同洗濯機の粉末洗剤使用時のすすぎ時の洗濯水の流れを示す要部拡大図
【図７】同洗濯機の液体洗剤使用時のすすぎ時の洗濯水の流れを示す要部拡大図
【発明を実施するための形態】
【００１１】
第１の発明は、筐体内に弾性支持された水受け槽と、前記水受け槽内に回転可能に設けられた回転ドラムと、前記回転ドラムを回転駆動する駆動モータと、前記水受け槽内の洗濯水を循環させるポンプを備えた循環水路と、前記循環水路に設けたリントフィルターと、前記リントフィルターの下流側で分岐した洗剤フィルターを備えた第２循環路と、前記洗剤フィルターの上流側で分岐したバイパス路と、投入された洗剤が液体洗剤か否かを判定する洗剤判定手段と、前記駆動モータ等を制御し、洗い、すすぎ、脱水の各工程を逐次制御する制御手段とを備え、前記制御手段は、投入された洗剤が液体洗剤であると、すすぎ工程において、前記バイパス路を通して前記回転ドラムへ洗濯水を循環させるようにしたことにより、すすぎ時の循環水量を多くすることができ、洗濯物に入り込んでいる洗剤分を効果的に取り除いてすすぎ効果を高めることができる。
【００１２】
第２の発明は、特に、第１の発明のバイパス路は、リントフィルターの上流側で循環水路と分岐するように構成したことにより、洗い時に捕捉されたリントによって流れ難くなったリントフィルターを通過することなく、洗濯水を円滑に循環させることができ、すすぎ効果を高めることができる。
【００１３】
以下、本発明の実施の形態について、図面を参照しながら説明する。なお、この実施の形態によって本案が限定されるものではない。
【００１４】
（実施の形態１）
図１は、本発明の第１の実施の形態における洗濯機の断面図、図２は、同洗濯機の洗剤判定手段の構成図、図３は、粉末洗剤使用時のすすぎ時の洗濯水の流れを示す要部拡大図、図４は、液体洗剤使用時のすすぎ時の洗濯水の流れを示す要部拡大図である。
【００１５】
図１〜図４において、ドラム式洗濯機の筐体１内にダンパ（図示せず）等で弾性支持した水受け槽２が設けられている。水受け槽２内には有底円筒状の回転ドラム３が回転可能に設けられ、その回転軸３ａは前上がりに傾斜している。回転ドラム３の内周側面には回転軸３ａ方向に向かって内方へ突出させた複数のバッフル４と、水受け槽２内と連通する多数の透孔５が設けられ、前面側には洗濯物を出し入れする開口部６が設けられている。
【００１６】
水受け槽２の後面に回転ドラム３を回転駆動する駆動モータ７が取り付けられている。この駆動モータ７はブラシレス直流モータで構成され、インバータ制御によって回転速度が自在に変化させることができるようになっている。水受け槽２内に洗濯水を給水する給水手段としての給水弁８は、給水路９中に設けた洗剤を投入する洗剤投入ケース１０を介して水受け槽２内に洗濯水を供給し、水受け槽２内に供給された洗濯水は透孔５から回転ドラム３内に流入する。
【００１７】
水受け槽２内に溜められた洗濯水は、循環水路１１に設けたポンプ１２によって回転ド
ラム３内へ循環させることができる。水受け槽２の底部に循環水路１１と連通した洗濯水を吸い込む吸い込み部１３を設け、回転ドラム３の前面側に設けた開口部６の上部に、回転ドラム３内に向けて洗濯水が吐出されるように吐出部１４を設けている。
【００１８】
循環水路１１には、ポンプ１２の上流側、すなわち、吸い込み部１３とポンプ１２の間に第１の開閉弁１５を設けている。循環水路１１には、水受け槽２内の洗濯水を機外へ排出する排水路１６が接続されており、排水路１６は、三方弁で構成した第１の開閉弁１５によって循環水路１１と分岐されている。
【００１９】
第１の開閉弁１５を循環水路１１側に切り替えると、洗濯水を回転ドラム３内へ循環させるとともに、排水路１６側を閉塞する。また、排水路１６側に切り替えると、循環水路１１側を閉塞するとともに、水受け槽２内の洗濯水を機外へ排出することができ、排水弁としても機能する。
【００２０】
循環水路１１には、ポンプ１２の上流側、すなわち、第１の開閉弁１５とポンプ１２の間にリントフィルター１７を設けてあり、洗濯物から出たリント等を捕捉する。循環水路１１には、ポンプ１２の下流側に第２の開閉弁１８と第３の開閉弁１９を設けている。
【００２１】
第２の開閉弁１８は三方弁で構成され、リントフィルター１７の下流側で循環水路１１から第２循環路２０を分岐し、第２循環路２０に洗剤フィルター２１を設けている。洗剤フィルター２１は、洗濯水に混在している洗剤分を捕捉する。
【００２２】
第３の開閉弁１９は三方弁で構成され、洗剤フィルター２１の上流側、すなわち、洗剤フィルター２１と第２の開閉弁１８の間で、第２循環路２０からバイパス路２２を分岐している。バイパス路２２の他方は、吐出部１４に通じる循環水路１１と連通している。
【００２３】
吸い込み部１３と第１の開閉弁１５の間の循環水路１１には、投入された洗剤が液体洗剤か否かを判定する洗剤判定手段２３が設けてあり、ＬＥＤ等の発光素子２４とフォトトランジスタ等の受光素子２５で構成された透過度センサで構成している。
【００２４】
発光素子２４と受光素子２５に挟まれた部分は透光性の材料で形成しており、発光素子２４から発光した光を循環水路１１中の洗濯水を通して受光素子２５で受光し、電圧に変換して出力する。このため、洗剤判定手段２３は、受光素子２５が外部からの光を受光しないように、遮光された密閉構造としている。
【００２５】
筐体１内に設けた制御手段２６は、駆動モータ７、給水弁８、ポンプ１２、第１の開閉弁１５、第２の開閉弁１８、第３の開閉弁１９等を駆動し、洗い、すすぎ、脱水等の各工程を逐次制御する。
【００２６】
なお、筐体１の前面に設けた開閉自在な扉２７を開くことにより、回転ドラム３の前面側に設けた開口部６から洗濯物を出し入れすることができる。
【００２７】
以上のように構成された洗濯機において、以下その動作、作用を説明する。筐体１の前面側に開閉自在に設けた扉２７を開いて開口部６から回転ドラム３内に洗濯物を投入し、筐体１に設けた操作部（図示せず）の電源スイッチ（図示せず）をオンし、スタートスイッチ（図示せず）を操作して運転を開始すると、布量検知手段（図示せず）によって投入された洗濯物の量が検知される。
【００２８】
洗濯は、洗い工程、すすぎ工程、脱水工程の順に実行されるが、ここでは、洗い工程とすすぎ工程について説明し、脱水工程の説明は省略する。洗い工程は、投入された洗濯物
の量の判定に続いて開始され、検知した洗濯物の量によってあらかじめ設定された水量を水受け槽２および回転ドラム３内へ導入する。
【００２９】
まず、給水弁８が開いて上水配管より水が供給される。給水量および洗濯動作の各時間は、投入された洗濯物の量に応じてあらかじめ設定されている。洗剤投入ケース１０内に所定量投入された洗剤を溶解させながら給水路９を経由して水受け槽２内に洗濯水が給水されるとともに、水受け槽２内に供給された洗濯水は透孔５から回転ドラム３内に流入する。
【００３０】
水受け槽２に給水された洗濯水は、吸い込み部１３から洗剤判定手段２３を通過し、循環水路１１側が開かれた第１の開閉弁１５を通して循環水路１１内に入り、ポンプ１２に到達する。給水量は水位検知手段（図示せず）により検知される。所定量の洗濯水が水受け槽２内に給水されるとポンプ１２を駆動する。
【００３１】
水受け槽２内の洗濯水は、吸い込み部１３から循環水路１１に入り、図１の矢印で示すように、洗剤判定手段２３、第１の開閉弁１５、リントフィルター１７、ポンプ１２、第２の開閉弁１８の順に通過し、吐出部１４から回転ドラム３内の洗濯物に向けて吐出されて循環する。
【００３２】
これにより、循環水路１１内の洗濯水は、常に回転ドラム３や水受け槽２内の洗濯水と等しくなり、循環水路１１を流れる洗濯水に対し、洗剤判定手段２３は、発光素子２４の発光した光を受光素子２５が受け取り、受光素子２５からの出力値による洗濯水の透過度変化をチェックし、投入された洗剤が液体洗剤か否かを判定する。
【００３３】
水受け槽２内の洗濯水の水位の上昇によって透孔５から回転ドラム３内へ浸入する洗濯水に加え、ポンプ１２を駆動させて吐出部１４から回転ドラム３内へ洗濯水を吐出することにより、洗濯物への洗濯水の浸透を速めることができる。
【００３４】
一方、回転ドラム３は駆動モータ７によって回転駆動される。回転ドラム３内の洗濯物は、バッフル４によって回転ドラム３の回転方向に沿って持ち上げられ、回転ドラム３内の上部から重力によって落下し、落下時の機械力が洗濯物に効果的に加えられるように、回転ドラム３の内周側壁面に遠心力によって張り付かない程度の回転速度、例えば、５０ｒｐｍで正転と反転を交互に繰り返す動作を所定時間実行する。このように、洗い工程では、水受け槽２内の洗濯水が循環水路１１を循環する。
【００３５】
所定の洗い時間が経過すると、制御手段２６は、ポンプ１２の動作を停止するとともに、第１の開閉弁１５を排水路１６側に切り替え、循環水路１１側を閉塞して水受け槽２内の洗濯水を排水路１６を通して機外へ排出する。
【００３６】
次に、洗い工程に続いてすすぎ工程が実行される。すすぎ工程は、洗い工程と同様に所定量の洗濯水が給水されると、制御手段２６は、駆動モータ７を駆動して回転ドラム３を正転と反転を交互に繰り返す動作をおこなうとともに、ポンプ１２を駆動する。そして、洗剤判定手段２３により投入された洗剤が粉末洗剤であると判定されたときは、洗濯水が第２循環路２０を流れるように第２の開閉弁１８と第３の開閉弁１９を切り替える。
【００３７】
すなわち、水受け槽２内の洗濯水は、吸い込み部１３から循環水路１１に入り、図３の矢印で示すように、洗剤判定手段２３、第１の開閉弁１５、リントフィルター１７、ポンプ１２を順次通過した後、第２の開閉弁１８で分岐した第２循環路２０に入り、洗剤フィルター２１を通って循環水路１１を経て吐出部１４から回転ドラム３内へ循環する。
【００３８】
したがって、粉末洗剤が使用されたときは、すすぎ時に洗濯水が第２循環路２０を通って循環するようにしたことにより、すすぎ時の洗濯水に含まれる洗剤分を洗剤フィルター２１で捕捉することができ、効率よくすすぎをおこなうことができる。
【００３９】
そして、洗剤判定手段２３により投入された洗剤が液体洗剤であると判定されたときは、洗濯水がバイパス路２２を流れるように第２の開閉弁１８と第３の開閉弁１９を切り替える。
【００４０】
すなわち、水受け槽２内の洗濯水は、吸い込み部１３から循環水路１１に入り、図４の矢印で示すように、洗剤判定手段２３、第１の開閉弁１５、リントフィルター１７、ポンプ１２を順次通過した後、第２の開閉弁１８で分岐した第２循環路２０に入り、さらに、第３の開閉弁１９を通ってバイパス路２２を流れ、洗剤フィルター２１を通らずに循環水路１１を経て吐出部１４から回転ドラム３内へ循環する。
【００４１】
したがって、液体洗剤が使用されたときは、すすぎ時に洗濯水がバイパス路２２を通って循環するようにしたことにより、未溶解の洗剤分がなく、かつ、洗剤フィルター２１を通ることによる流速の低下がないので、所定の循環水量を確保することができ、効率よくすすぎをおこなうことができる。
【００４２】
以上のように、本実施の形態では、投入された洗剤が液体洗剤であると、すすぎ工程において、バイパス路２２を通して回転ドラム３内へ洗濯水を循環させるようにしたものであり、液体洗剤が使用されたときは、洗濯水はすすぎ時に洗剤フィルター２１を通過することなく回転ドラム３へ循環させることができ、循環水量を多くしてすすぎ効果を高めることができる。
【００４３】
（実施の形態２）
図５は、本発明の第２の実施の形態における洗濯機の断面図、図６は、粉末洗剤使用時のすすぎ時の洗濯水の流れを示す要部拡大図、図７は、液体洗剤使用時のすすぎ時の洗濯水の流れを示す要部拡大図である。本実施の形態の特徴は、リントフィルター１７の上流側で循環水路１１と分岐するようにバイパス路２２を構成したものである。他の構成は実施の形態１と同じであり、同一の構成に同一の符号を付して、詳細な説明は実施の形態１のものを援用する。
【００４４】
洗剤判定手段２３により投入された洗剤が液体洗剤であると判定されたときは、洗濯水がリントフィルター１７を通らずにバイパス路２２を流れるように、第１の開閉弁１５、第２の開閉弁１８、第３の開閉弁１９および第４の開閉弁２８を切り替える。
【００４５】
すなわち、水受け槽２内の洗濯水は、吸い込み部１３から循環水路１１に入り、図７の矢印で示すように、洗剤判定手段２３を通過した後、循環水路１１側を閉塞し、排水路１６側に切り替えられた第１の開閉弁１５を通って排水路１６に流れる。排水路１６には、第４の開閉弁２８が設けてあり、排水路１６側を閉塞し、ポンプ１２を介して循環水路１１側へ流れるように構成している。
【００４６】
リントフィルター１７を通らずにポンプ１２に到達した洗濯水は、実施の形態１と同様に、第２の開閉弁１８と第３の開閉弁１９を通ってバイパス路２２に入り、循環水路１１を経て吐出部１４から回転ドラム３内へ循環する。
【００４７】
したがって、液体洗剤が使用されたときは、すすぎ時に洗濯水が第１の開閉弁１５で排水路１６に入り、第４の開閉弁２８、ポンプ１２を順次通過した後、第２の開閉弁１８で分岐した第２循環路２０に入り、さらに、第３の開閉弁１９を通ってバイパス路２２を流
れ、リントフィルター１７と洗剤フィルター２１を通らずに、循環水路１１を経て吐出部１４から回転ドラム３内へ循環するようにしたことにより、未溶解の洗剤分がなく、かつ、リントフィルター１７および洗剤フィルター２１を通ることによる流速の低下がないので、所定の循環水量を確保することができ、効率よくすすぎをおこなうことができる。
【００４８】
なお、第４の開閉弁２８は排水弁としても機能し、排水時は、排水路１６側を開いて水受け槽２内の洗濯水を機外へ排出することができる。
【００４９】
以上のように、本実施の形態では、バイパス路２２をリントフィルター１７の上流側で循環水路１１と分岐するように構成したことにより、液体洗剤が使用されたときは、洗濯水はすすぎ時にリントフィルター１７と洗剤フィルター２１を通過することなく、回転ドラム３へ循環させることができ、循環水量を多くしてすすぎ効果を高めることができる。
【産業上の利用可能性】
【００５０】
以上のように、本発明にかかる洗濯機は、液体洗剤が使用されたときは、すすぎ時に洗濯水の循環水量を多くすることができ、すすぎ効果を高めることができるので、洗濯機として有用である。
【符号の説明】
【００５１】
１  筐体
２  水受け槽
３  回転ドラム
７  駆動モータ
１１  循環水路
１２  ポンプ
１７  リントフィルター
２０  第２循環路
２１  洗剤フィルター
２２  バイパス路
２３  洗剤判定手段
２６  制御手段
【図１】
2012065865.tif 000003
【図２】
2012065865.tif 000004
【図３】
2012065865.tif 000005
【図４】
2012065865.tif 000006
【図５】
2012065865.tif 000007
【図６】
2012065865.tif 000008
【図７】
2012065865.tif 000009